(57)【特許請求の範囲】
【請求項１】
ケーシング（４０）内に圧縮機（７）及び閉鎖弁（１３、１４）が配置されており、前記ケーシングを前方から見た際に前記圧縮機の前方を横切るように配置されるとともに前記閉鎖弁を支持する閉鎖弁取付部材（５０）が設けられた室外ユニットにおいて、
前記閉鎖弁取付部材は、前記ケーシングを前方から見た際に前記圧縮機の前側を横切る圧縮機対向部と、前記閉鎖弁を支持する閉鎖弁支持部と、前記圧縮機対向部と前記閉鎖弁支持部との間に上下方向の段差が形成されるように前記圧縮機対向部と前記閉鎖弁支持部との間を繋ぐ接続部（５３）と、を有し、
前記圧縮機は、電気接続用のターミナル（７１）及び配管接続用の吐出ノズル（７２）の少なくとも一方を有しており、
前記電気接続用のターミナル及び前記配管接続用の吐出ノズルの少なくとも一方は、前記ケーシングを前方から見た際に、前記閉鎖弁と上下方向位置が同じである、
室外ユニット（２）。
【請求項２】
前記接続部は、前記圧縮機対向部の上下方向位置を前記閉鎖弁支持部の上下方向位置よりも低くする上下方向の段差を形成している、
請求項１に記載の室外ユニット。
【請求項３】
前記閉鎖弁取付部材は、前記圧縮機対向部、前記閉鎖弁支持部、及び、前記接続部が一体に形成された部材である、
請求項１又は２に記載の室外ユニット。
【請求項４】
前記接続部は、前記閉鎖弁取付部材の全体形状をＳ字形状にする上下方向の段差を形成している、
請求項１〜３のいずれか１項に記載の室外ユニット。
【請求項５】
前記圧縮機は、電気接続用のターミナル（７１）を有しており、
前記接続部は、前記ケーシングを前方から見た際に前記圧縮機対向部が前記ターミナルに重ならないようにする上下方向の段差を形成している、
請求項１〜４のいずれか１項に記載の室外ユニット。
【請求項６】
前記圧縮機は、配管接続用の吐出ノズル（７２）を有しており、
前記接続部は、前記ケーシングを前方から見た際に前記圧縮機対向部が前記吐出ノズルに重ならないようにする上下方向の段差を形成している、
請求項１〜４のいずれか１項に記載の室外ユニット。
【発明の詳細な説明】
【技術分野】
【０００１】
本発明は、室外ユニット、特に、ケーシング内に圧縮機及び閉鎖弁が配置されており、ケーシングを所定方向から見た際に圧縮機の前方を横切るように配置されるとともに閉鎖弁を支持する閉鎖弁取付部材が設けられた室外ユニットに関する。
【背景技術】
【０００２】
従来より、室内ユニットと室外ユニットとが冷媒連絡管を介して接続されることによって構成される空気調和装置がある。このような空気調和装置を構成する室外ユニットとして、ケーシング内に圧縮機及び閉鎖弁が配置されたものがある。閉鎖弁には、冷媒連絡管が接続されている。また、閉鎖弁は、ケーシング内に設けられた閉鎖弁取付部材によって支持されている。
【０００３】
このような閉鎖弁取付部材としては、特許文献１、２（特開２００７−１２０９００号公報、特開２０１１−３８６５８号公報）に示すように、ケーシングを前方から見た際に、圧縮機の前方を横切るように配置されたものが使用される。
【発明の概要】
【発明が解決しようとする課題】
【０００４】
上記特許文献１、２の閉鎖弁取付部材は、ケーシングを前方から見た際に、全体として水平に延びる直線状をなしている。ここで、ケーシング内における閉鎖弁の配置は、ケーシング内に引き込まれて接続される冷媒連絡管の長さや曲げ形状等を考慮した位置に設定されており、これに伴い、閉鎖弁取付部材の上下方向位置も閉鎖弁の支持に適した上下方向位置に設定されている。
【０００５】
このような閉鎖弁取付部材では、圧縮機の前側を横切る部分が電気接続用のターミナルや配管接続用の吐出ノズル等の圧縮機の付属部品に重なる場合があり、圧縮機の前方からターミナルへの電気接続や吐出ノズルへの配管接続（圧縮機に対する各種作業）を行う際に、圧縮機の前側を横切る部分が邪魔になって作業空間を確保することができず、室外ユニットの組み立て時や点検時の作業性を損なうおそれがある。
【０００６】
本発明の課題は、ケーシング内に圧縮機及び閉鎖弁が配置されており、ケーシングを所定方向から見た際に圧縮機の前方を横切るように配置されるとともに閉鎖弁を支持する閉鎖弁取付部材が設けられた室外ユニットにおいて、圧縮機の前方からの作業空間を確保できるようにすることにある。
【課題を解決するための手段】
【０００７】
第１の観点にかかる室外ユニットは、ケーシング内に圧縮機及び閉鎖弁が配置されており、ケーシングを所定方向から見た際に圧縮機の前方を横切るように配置されるとともに閉鎖弁を支持する閉鎖弁取付部材が設けられた室外ユニットである。閉鎖弁取付部材は、ケーシングを前方から見た際に圧縮機の前側を横切る圧縮機対向部と、閉鎖弁を支持する閉鎖弁支持部と、圧縮機対向部と閉鎖弁支持部との間に上下方向の段差が形成されるように圧縮機対向部と閉鎖弁支持部との間を繋ぐ接続部と、を有している。
【０００８】
ここでは、上記のような接続部によって、圧縮機に対する各種作業を行う際に、圧縮機の前側を横切る圧縮機対向部を作業の邪魔にならない上下方向位置になるように配置することができる。
【０００９】
これにより、ここでは、ケーシング内に圧縮機及び閉鎖弁が配置されており、ケーシングを所定方向から見た際に圧縮機の前方を横切るように配置されるとともに閉鎖弁を支持する閉鎖弁取付部材が設けられた室外ユニットにおいて、圧縮機の前方からの作業空間を確保することができる。
【００１０】
尚、このとき、閉鎖弁支持部の上下方向位置も圧縮機対向部と同じ上下方向位置にすることで、従来と同様の段差のない形状（水平に延びる直線状）にすることも考えられる。しかし、このようにすると、閉鎖弁の上下方向位置も変える必要があるため、ケーシング内に引き込まれて接続される冷媒連絡管の長さや曲げ形状等を従来と異なるものとなり、室外ユニットの更新時に、冷媒連絡管をそのまま流用することができず、冷媒連絡管の形状や長さを調整する作業が必要になる等の手間が発生することになる。これに対して、ここでは、上記のような接続部を採用することによって、閉鎖弁支持部、ひいては閉鎖弁の上下方向位置を従来と同じ位置に維持することができ、上記のような不都合が発生しないようにできる。
【００１１】
第２の観点にかかる室外ユニットは、第１の観点にかかる室外ユニットにおいて、接続部は、圧縮機対向部の上下方向位置を閉鎖弁支持部の上下方向位置よりも低くする上下方向の段差を形成している。
【００１２】
ここでは、圧縮機対向部の上側に作業空間が形成されるような段差を形成することができるため、圧縮機の作業対象部分に対して斜め上方からアクセスすることができるようになり、作業性を向上させることができる。
【００１３】
第３の観点にかかる室外ユニットは、第１又は第２の観点にかかる室外ユニットにおいて、閉鎖弁取付部材は、圧縮機対向部、閉鎖弁支持部、及び、接続部が一体に形成された部材である。
【００１４】
ここでは、上記のように、閉鎖弁取付部材が３つの部分（圧縮機対向部、閉鎖弁支持部、及び、接続部）が一体に形成された部材であるため、部品点数を削減することができ、また、各部同士の取り付けが不要になる。
【００１５】
これにより、ここでは、閉鎖弁取付部材を室外ユニットに取り付ける際の作業性を向上させることができる。
【００１６】
第４の観点にかかる室外ユニットは、第１〜第３の観点のいずれかにかかる室外ユニットにおいて、接続部は、閉鎖弁取付部材の全体形状をＳ字形状にする上下方向の段差を形成している。
【００１７】
ここでは、上記のように、閉鎖弁取付部材の全体形状をＳ字形状にしているため、閉鎖弁取付部材を板状の素材から製造する際に、金型での展開面積を小さくして量産しやすいものにすることができる。
【００１８】
第５の観点にかかる室外ユニットは、第１〜第４の観点のいずれかにかかる室外ユニットにおいて、圧縮機は、電気接続用のターミナルを有しており、接続部は、ケーシングを前方から見た際に圧縮機対向部がターミナルに重ならないようにする上下方向の段差を形成している。
【００１９】
ここでは、上記のような接続部によって、ターミナルへの電気接続作業を行う際に、圧縮機の前側を横切る圧縮機対向部を作業の邪魔にならない上下方向位置になるように配置することができる。
【００２０】
第６の観点にかかる室外ユニットは、第１〜第４の観点のいずれかにかかる室外ユニットにおいて、圧縮機は、配管接続用の吐出ノズルを有しており、接続部は、ケーシングを前方から見た際に圧縮機対向部が吐出ノズルに重ならないようにする上下方向の段差を形成している。
【００２１】
ここでは、上記のような接続部によって、吐出ノズルへの配管接続作業を行う際に、圧縮機の前側を横切る圧縮機対向部を作業の邪魔にならない上下方向位置になるように配置することができる。
【発明の効果】
【００２２】
以上の説明に述べたように、本発明によれば、ケーシング内に圧縮機及び閉鎖弁が配置されており、ケーシングを所定方向から見た際に圧縮機の前方を横切るように配置されるとともに閉鎖弁を支持する閉鎖弁取付部材が設けられた室外ユニットにおいて、圧縮機の前方からの作業空間を確保することができる。
【図面の簡単な説明】
【００２３】
【図１】本発明の一実施形態にかかる室外ユニットが採用された空気調和装置の概略構成図である。
【図２】室外ユニットの外観斜視図である。
【図３】室外ユニットの平面図（天板と、圧縮機、室外熱交換器及び閉鎖弁以外の冷媒回路構成部品と、を取り除いて図示）である。
【図４】室外ユニットの前面図（左右前板と、圧縮機、室外熱交換器及び閉鎖弁以外の冷媒回路構成部品と、を取り除いて図示）である。
【図５】図４の圧縮機、閉鎖弁及び閉鎖弁取付部材付近を示す拡大図である。
【図６】閉鎖弁取付部材の斜視図である。
【図７】板状の素材から閉鎖弁取付部材を型取りする際のイメージ図である。
【図８】変形例にかかる室外ユニットを示す図であって、図５に対応する図である。
【図９】変形例にかかる室外ユニットを示す図であって、図５に対応する図である。
【発明を実施するための形態】
【００２４】
以下、本発明にかかる室外ユニットの実施形態及びその変形例について、図面に基づいて説明する。尚、本発明にかかる室外ユニットの具体的な構成は、下記の実施形態及びその変形例に限られるものではなく、発明の要旨を逸脱しない範囲で変更可能である。
【００２５】
（１）空気調和装置の構成
図１は、本発明の一実施形態にかかる室外ユニット２が採用された空気調和装置１の概略構成図である。
【００２６】
空気調和装置１は、蒸気圧縮式の冷凍サイクルを行うことによって、建物等の室内の冷房や暖房を行うことが可能な装置である。空気調和装置１は、主として、室外ユニット２と、室内ユニット３とが接続されることによって構成されている。ここで、室外ユニット２と室内ユニット３とは、液冷媒連絡管４及びガス冷媒連絡管５を介して接続されている。すなわち、空気調和装置１の蒸気圧縮式の冷媒回路６は、室外ユニット２と、室内ユニット３とが冷媒連絡管４、５を介して接続されることによって構成されている。また、この冷媒回路６には、Ｒ３２等の冷媒が封入されている。
【００２７】
室外ユニット２は、室外に設置されており、冷媒回路６の一部を構成している。室外ユニット２は、主として、圧縮機７と、四路切換弁１０と、室外熱交換器１１と、膨張弁１２と、液側閉鎖弁１３と、ガス側閉鎖弁１４と、室外ファン１５と、を有している。
【００２８】
室内ユニット３は、室内に設置されており、冷媒回路６の一部を構成している。室内ユニット３は、主として、室内熱交換器１９を有している。
【００２９】
冷媒連絡管４、５は、空気調和装置１を建物等の設置場所に設置する際に、現地にて施工される冷媒管である。液冷媒連絡管４の一端は、室外ユニット２の液側閉鎖弁１３に接続され、液冷媒連絡管４の他端は、室内ユニット３の室内熱交換器１９の液側端に接続されている。ガス冷媒連絡管５の一端は、室外ユニット２のガス側閉鎖弁１４に接続され、ガス冷媒連絡管５の他端は、室内ユニット３の室内熱交換器１９のガス側端に接続されている。
【００３０】
（２）室外ユニットの構成
＜全体＞
図２は、室外ユニット２の外観斜視図である。図３は、室外ユニット２の平面図（天板４２と、圧縮機７、室外熱交換器１１及び閉鎖弁１３、１４以外の冷媒回路構成部品と、を取り除いて図示）である。図４は、室外ユニット２の前面図（左右前板４３、４４と、圧縮機７、室外熱交換器１１及び閉鎖弁１３、１４以外の冷媒回路構成部品と、を取り除いて図示）である。
【００３１】
室外ユニット２は、略直方体箱状のケーシング４０の内部が鉛直に延びる仕切板４８により送風機室Ｓ１と機械室Ｓ２とに分割されたトランク型の構造と呼ばれるものである。室外ユニット２は、主として、略直方体箱状のケーシング４０と、室外ファン１５と、圧縮機７や室外熱交換器１１等の機器、液側閉鎖弁１３やガス側閉鎖弁１４等の弁及び冷媒管等を含み冷媒回路６の一部を構成する冷媒回路構成部品と、を有している。尚、以下の説明において、「上」、「下」、「左」、「右」、「前」、「後」、「前面」、「背面」は、特にことわりのない限り、図２に示される室外ユニット２を前方から見た場合の方向を意味している。
【００３２】
＜ケーシング＞
ケーシング４０は、主として、底フレーム４１と、天板４２と、左前板４３と、右前板４４と、右側板４５と、を有している。
【００３３】
底フレーム４１は、ケーシング４０の底面部分を構成する横長の略長方形状の板状部材である。底フレーム４１の下面には、現地設置面に固定される２つの固定脚４６が設けられている。
【００３４】
天板４２は、ケーシング４０の天面部分を構成する横長の略長方形状の板状部材である。
【００３５】
左前板４３は、主として、ケーシング４０の左前面部分及び左側面部分を構成する板状部材であり、その下部が底フレーム４１にネジ等により固定されている。左前板４３には、室外ファン１５によってケーシング４０内に吸入される空気の吸入口４３ａが形成されている。また、左前板４３には、室外ファン１５によってケーシング４０の背面側及び左側面側から内部に取り込まれた空気を外部に吹き出すための吹出口４３ｂが設けられている。吹出口４３ｂは、ここでは、上下２つ形成されており、それぞれにファングリル４７が設けられている。
【００３６】
右前板４４は、主として、ケーシング４０の右前面部分及び右側面の前部を構成する板状部材であり、その下部が底フレーム４１にネジ等により固定されている。また、右前板４４は、その左端部が左前板４３の右端部にネジ等により固定されている。
【００３７】
右側板４５は、主として、ケーシング４０の右側面の後部及び右背面部分を構成する板状部材であり、その下部が底フレーム４１にネジ等により固定されている。そして、左前板４３の後端部と右側板４５の背面側端部と左右方向間には、室外ファン１５によってケーシング４０内に吸入される空気の吸入口４３ｃが形成されている。
【００３８】
また、ケーシング４０内には、仕切板４８が設けられている。仕切板４８は、底フレーム４１上に配置される鉛直に延びる板状部材であり、ケーシング４０の内部を左右２つの空間に仕切るように配置されている。仕切板４８は、ケーシング４０を上方から見た際に、左前板４３の右端部から背面側に向かって延びており、ケーシング４０の左側面から背面に沿うように配置された略Ｌ字形状の室外熱交換器１１の右端面まで達している。左前板４３の右端部は、仕切板４８の前端部にネジ等により固定されている。
【００３９】
このように、ケーシング４０は、その内部が仕切板４８により送風機室Ｓ１と機械室Ｓ２とに分割されている。より具体的には、送風機室Ｓ１は、底フレーム４１と、天板４２と、左前板４３と、仕切板４８とによって囲まれた空間であり、主として、室外ファン１５や室外熱交換器１１が配置されている。機械室Ｓ２は、底フレーム４１と、天板４２と、右前板４４と、右側板４５と、仕切板４８とによって囲まれた空間であり、主として、室外熱交換器１１以外の冷媒回路構成部品が配置されている。そして、ケーシング４０では、右前板４４を取り外すことによって、機械室Ｓ２の内部が見えるようになっており、室外ユニット２の機械室Ｓ２内に収容された冷媒回路構成部品のメンテナンスや閉鎖弁１３、１４への冷媒連絡管４、５の配管接続等の作業を行えるようになっている。
【００４０】
＜室外ファン＞
室外ファン１５は、プロペラファンであり、送風機室Ｓ１内の室外熱交換器１１の前側に配置されている。ここでは、室外ファン１５は、吹出口４３ｂに対向するように、送風機室Ｓ１内に上下２つ配置されている。
【００４１】
＜冷媒回路構成部品＞
圧縮機７は、ハウジング内に冷媒を圧縮するための圧縮機構及び圧縮機構を回転駆動するためのモータが収容された密閉型圧縮機であり、機械室Ｓ２内に配置されている。ここでは、圧縮機７は、縦型の略円筒形状であり、底フレーム４１上に設けられている。より具体的には、圧縮機７は、ケーシング４０を上方から見た際に、機械室Ｓ２の仕切板４８寄りに配置されている。また、圧縮機７の頂部には、電気接続用のターミナル７１及び配管接続用の吐出ノズル７２が設けられている。
【００４２】
室外熱交換器１１は、送風機室Ｓ１内に配置されており、室外ファン１５によってケーシング４０内に取り込まれた空気との間で熱交換を行う。室外熱交換器１１は、ケーシング４０を上方から見た際に、略Ｌ字形状を有し、ケーシング４０の左側面から背面に沿うように配置されている。
【００４３】
ケーシング４０内には、冷媒連絡管４、５が接続される液側閉鎖弁１３及びガス側閉鎖弁１４が配置されている。より具体的には、液側閉鎖弁１３及びガス側閉鎖弁１４は、ケーシング４０を上方から見た際に、機械室Ｓ２の右側面寄りに配置されており、機械室Ｓ２の前部の右前板４４に略対向している。液側閉鎖弁１３及びガス側閉鎖弁１４は、ケーシング４０内に設けられた閉鎖弁取付部材５０によって支持されている。
【００４４】
閉鎖弁取付部材５０は、ケーシング４０を所定方向（ここでは、前面側）から見た際に圧縮機７の前方を横切るように配置されており、閉鎖弁１３、１４を支持している。閉鎖弁取付部材５０は、左前板４３の右端部と右側板４５の前端部との間に掛け渡されるように設けられている。
【００４５】
（３）閉鎖弁及び閉鎖弁取付部材の構成
次に、閉鎖弁１３、１４と閉鎖弁取付部材５０の構成について、図３〜図６を用いて説明する。ここで、図５は、図４の圧縮機７、閉鎖弁１３、１４及び閉鎖弁取付部材５０付近を示す拡大図である。図６は、閉鎖弁取付部材５０の斜視図である。
【００４６】
液側閉鎖弁１３は、機械室Ｓ２内に配置された状態において、その内部に上方、前方、下方及び後方に延びる略十字形状の内部流路が形成されている。液側閉鎖弁１３の上端には、冷媒の封入や真空引き等を行うためのサービスポート１３ａが形成されている。液側閉鎖弁の１３の下端には、ケーシング４０内に引き込まれた液冷媒連絡管４に接続される接続ポート１３ｂが形成されている。また、液側閉鎖弁１３には、左方及び右方に向かって突出する鍔部１３ｃが形成されており、閉鎖弁取付部材５０にネジ止め等によって固定されている。ここで、液側閉鎖弁１３は、ケーシング４０を前方から見た際に、ターミナル７１や吐出ノズル７２が設けられた圧縮機７の頂部と同じ高さ位置に配置されている。
【００４７】
ガス側閉鎖弁１４は、液側閉鎖弁１３と同様に、機械室Ｓ２内に配置された状態において、その内部に上方、前方、下方及び後方に延びる略十字形状の内部流路が形成されている。ガス側閉鎖弁１４の上端には、冷媒の封入や真空引き等を行うためのサービスポート１４ａが形成されている。ガス側閉鎖弁の１４の下端には、ケーシング４０内に引き込まれたガス冷媒連絡管５に接続される接続ポート１４ｂが形成されている。また、ガス側閉鎖弁１４には、左方及び右方に向かって突出する鍔部１４ｃが形成されており、閉鎖弁取付部材５０にネジ止め等によって固定されている。ここで、ガス側閉鎖弁１４は、液側閉鎖弁１３と同様に、ケーシング４０を前方から見た際に、ターミナル７１や吐出ノズル７２が設けられた圧縮機７の頂部と同じ高さ位置に配置されている。
【００４８】
閉鎖弁取付部材５０は、主として、ケーシング４０を前方から見た際に圧縮機７の前側を横切る圧縮機対向部５１と、閉鎖弁１３、１４を支持する閉鎖弁支持部５２と、圧縮機対向部５１と閉鎖弁支持部５２との間に上下方向の段差が形成されるように圧縮機対向部５１と閉鎖弁支持部５２との間を繋ぐ接続部５３と、を有している。また、閉鎖弁取付部材５０は、左前板４３の右端部や仕切板４８の前端部にネジ止め等によって固定される第１固定部５４と、右側板４５の前端部にネジ止め等によって固定される第２固定部５５と、を有している。そして、ここでは、閉鎖弁取付部材５０は、これらの各部５１〜５５が一体に形成された金属製の板状部材である。
【００４９】
圧縮機対向部５１は、閉鎖弁取付部材５０が機械室Ｓ２内に配置された状態において、左前板４３の右端部や仕切板４８の前端部から右方に向かって水平に延びる部分である。ここで、圧縮機対向部５１は、ケーシング４０を前方から見た際に、ターミナル７１や吐出ノズル７２が設けられた圧縮機７の頂部よりも下側の部分を横切るように配置されている。
【００５０】
第１固定部５４は、閉鎖弁取付部材５０が機械室Ｓ２内に配置された状態において、圧縮機対向部５１の左端部から左方に突出する部分である。第１固定部５４には、左前板４３の右端部や仕切板４８の前端部にネジ止めするためのネジ孔５４ａが形成されている。
【００５１】
接続部５３は、閉鎖弁取付部材５０が機械室Ｓ２内に配置された状態において、圧縮機対向部５１の右端部から右上方に向かって延びる部分である。ここで、接続部５３は、ケーシング４０を前方から見た際に、ターミナル７１や吐出ノズル７２が設けられた圧縮機７の頂部よりも下側の高さ位置から閉鎖弁１３、１４と同じ高さ位置に達するまで右上方に延びている。
【００５２】
閉鎖弁支持部５２は、閉鎖弁取付部材５０が機械室Ｓ２内に配置された状態において、接続部５３の右端部から右側板４５の前端部まで右方に向かって水平に延びる部分である。すなわち、閉鎖弁支持部５２は、ケーシング４０を前方から見た際に、ターミナル７１や吐出ノズル７２が設けられた圧縮機７の頂部と同じ高さ位置を水平に延びる部分である。閉鎖弁支持部５２には、横方に並んで形成された２つの切り欠き部５２ａ、５２ｂが形成されており、液側閉鎖弁１３及びガス側閉鎖弁１４を横方に並べて配置できるようになっている。また、切り欠き部５２ａ、５２ｂの左右両側には、それぞれ、閉鎖弁１３、１４の鍔部１３ｃ、１４ｃを閉鎖弁支持部５２にネジ止めするためのネジ孔５２ｃ、５２ｄが形成されている。
【００５３】
第２固定部５５は、閉鎖弁取付部材５０が機械室Ｓ２内に配置された状態において、閉鎖弁支持部５２の右端部に形成された部分である。第２固定部５５には、右前板４５の前端部にネジ止めするためのネジ孔５５ａが形成されている。
【００５４】
このように、閉鎖弁取付部材５０は、接続部５３によって、圧縮機対向部５１と閉鎖弁支持部５２との間に上下方向の段差が形成された形状を有している。ここでは、接続部５３は、圧縮機対向部５１の上下方向位置を閉鎖弁支持部５２の上下方向位置よりも低くする上下方向の段差を形成している。これにより、圧縮機対向部５１は、ケーシング４０を前方から見た際に、ターミナル７１や吐出ノズル７２が設けられた圧縮機７の頂部よりも下側の高さ位置を横切っている。そして、圧縮機対向部５１は、ケーシング４０を前方から見た際に、ターミナル７１や吐出ノズル７２に重ならないようになっている。また、ここでは、接続部５３によって、閉鎖弁取付部材５０の全体形状がＳ字形状をなしている。
【００５５】
（４）室外ユニットの特徴
本実施形態の閉鎖弁取付部材５０が設けられた室外ユニット２には、以下のような特徴がある。
【００５６】
＜Ａ＞
ここでは、上記のように、閉鎖弁取付部材５０が、ケーシング４０を前方から見た際に圧縮機７の前側を横切る圧縮機対向部５１と、閉鎖弁１３、１４を支持する閉鎖弁支持部５２と、圧縮機対向部５１と閉鎖弁支持部５２との間に上下方向の段差が形成されるように圧縮機対向部５１と閉鎖弁支持部５２との間を繋ぐ接続部５３と、を有している。
【００５７】
このため、ここでは、接続部５３によって、圧縮機７に対する各種作業（圧縮機７の前方からターミナル７１への電気接続や吐出ノズル７２への配管接続を行う際に、圧縮機７の前側を横切る圧縮機対向部５１を作業の邪魔にならない上下方向位置になるように配置することができる。具体的には、接続部５３が、ケーシング４０を前方から見た際に圧縮機対向部５１が電気接続用のターミナル７１や配管接続用の吐出ノズル７２に重ならないようにする上下方向の段差を形成している。
【００５８】
これにより、ここでは、ケーシング４０内に圧縮機７及び閉鎖弁１３、１４が配置されており、ケーシング５０を所定方向（ここでは、前側）から見た際に圧縮機７の前方を横切るように配置されるとともに閉鎖弁１３、１４を支持する閉鎖弁取付部材５０が設けられた室外ユニット２において、圧縮機７の前方からの作業空間を確保することができる。すなわち、ターミナル７１への電気接続作業や吐出ノズル７２への配管接続作業を行う際に、圧縮機７の前側を横切る圧縮機対向部５１を作業の邪魔にならない上下方向位置になるように配置することができる。
【００５９】
尚、このとき、閉鎖弁支持部５２の上下方向位置も圧縮機対向部５１と同じ上下方向位置にすることで、従来と同様の段差のない形状（水平に延びる直線状）にすることも考えられる。しかし、このようにすると、閉鎖弁１３、１４の上下方向位置も変える必要があるため、ケーシング４０内に引き込まれて接続される冷媒連絡管４、５の長さや曲げ形状等を従来と異なるものとなり、室外ユニット２の更新時に、冷媒連絡管４、５をそのまま流用することができず、冷媒連絡管４、５の形状や長さを調整する作業が必要になる等の手間が発生することになる。これに対して、ここでは、上記のような接続部５３を採用することによって、閉鎖弁支持部５２、ひいては閉鎖弁１３、１４の上下方向位置を従来と同じ位置に維持することができ、上記のような不都合が発生しないようにできる。
【００６０】
＜Ｂ＞
ここでは、上記のように、接続部５３が、圧縮機対向部５１の上下方向位置を閉鎖弁支持部５２の上下方向位置よりも低くする上下方向の段差を形成している。
【００６１】
このため、ここでは、圧縮機対向部５１の上側に作業空間が形成されるような段差を形成することができるため、圧縮機７の作業対象部分に対して斜め上方からアクセスすることができるようになり、作業性を向上させることができる。
【００６２】
＜Ｃ＞
ここでは、上記のように、閉鎖弁取付部材５０が、３つの部分（圧縮機対向部５１、閉鎖弁支持部５２、及び、接続部５３）が一体に形成された部材である。
【００６３】
このため、ここでは、閉鎖弁１３、１４の支持構造に必要な部品点数を削減することができ、また、各部同士の取り付けが不要になり、閉鎖弁取付部材５０を室外ユニット２に取り付ける際の作業性を向上させることができる。
【００６４】
＜Ｄ＞
ここでは、上記のように、接続部５３が、閉鎖弁取付部材５０の全体形状をＳ字形状にする上下方向の段差を形成している。
【００６５】
このため、ここでは、図７に示すように、板状の素材から閉鎖弁取付部材５０を金型で型取りする際に、図７のハッチングで示した部分を除いて、素材をできるだけ無駄にすることなく、複数の閉鎖弁取付部材５０を型取りすることができる。
【００６６】
これにより、閉鎖弁取付部材５０を板状の素材から製造する際に、金型での展開面積を小さくして量産しやすいものにすることができる。
【００６７】
（５）変形例
＜Ａ＞
上記実施形態においては、電気接続用のターミナル７１や配管接続用の吐出ノズル７２が圧縮機７の頂部に設けられた構成に対して、圧縮機対向部５１の上下方向位置を閉鎖弁支持部５２の上下方向位置よりも低くする上下方向の段差を形成する接続部５３を有する閉鎖弁取付部材５０を採用しているが、これに限定されるものではない。
【００６８】
例えば、図８に示すように、吐出ノズル７２が圧縮機７の頂部よりも下側に設けられている場合にも、上記実施形態と同様の閉鎖弁取付部材５０、すなわち、圧縮機対向部５１の上下方向位置を閉鎖弁支持部５２の上下方向位置よりも低くする上下方向の段差を形成させる接続部５３を有する閉鎖弁取付部材５０を採用してもよい。この場合においても、ケーシング４０を前方から見た際に圧縮機対向部５１が配管接続用の吐出ノズル７２に重ならないようにすることができる。
【００６９】
また、図９に示すように、上記実施形態とは逆に、圧縮機対向部５１の上下方向位置を閉鎖弁支持部５２の上下方向位置よりも高くする上下方向の段差を形成させる接続部５３を有する閉鎖弁取付部材５０を採用してもよい。この場合においても、ケーシング４０を前方から見た際に圧縮機対向部５１が配管接続用の吐出ノズル７２に重ならないようにすることができる。
【００７０】
＜Ｂ＞
上記実施形態では、トランク型構造の室外ユニット２に本発明を適用した例を説明したが、これに限定されるものではない。
【００７１】
例えば、室外ファンがケーシングの天面側に配置された上吹き型構造等の他の形式の室外ユニットにおいても、ケーシング内に圧縮機及び閉鎖弁が配置されており、ケーシングを所定方向から見た際に圧縮機の前方を横切るように配置されるとともに閉鎖弁を支持する閉鎖弁取付部材が設けられた構造であれば、本発明を適用することが可能である。
【産業上の利用可能性】
【００７２】
本発明は、ケーシング内に圧縮機及び閉鎖弁が配置されており、ケーシングを所定方向から見た際に圧縮機の前方を横切るように配置されるとともに閉鎖弁を支持する閉鎖弁取付部材が設けられた室外ユニットに対して、広く適用可能である。
【符号の説明】
【００７３】
２    室外ユニット
７    圧縮機
１３  液側閉鎖弁
１４  ガス側閉鎖弁
４０  ケーシング
５０  閉鎖弁取付部材
５１  圧縮機対向部
５２  閉鎖弁支持部
５３  接続部
７１  ターミナル
７２  吐出ノズル
【先行技術文献】
【特許文献】
【００７４】
【特許文献１】特開２００７−１２０９００号公報
【特許文献２】特開２０１１−３８６５８号公報
【図１】
0006716963.tif 000002
【図２】
0006716963.tif 000003
【図３】
0006716963.tif 000004
【図４】
0006716963.tif 000005
【図５】
0006716963.tif 000006
【図６】
0006716963.tif 000007
【図７】
0006716963.tif 000008
【図８】
0006716963.tif 000009
【図９】
0006716963.tif 000010